(57)【要約】  表面または領域で、１つ以上の消毒剤の使用を検出するように構成されたセンサモジュール；上記センサモジュールに接続され、検出された１つ以上の消毒剤の使用に関連するデータを記録するように構成されたデータロガーモジュール；および上記データロガーモジュールに接続され、１つ以上の消毒剤の検出された使用に関連するログデータを遠隔監視モジュールに無線で通信するように構成された無線通信モジュールを含む、消毒監視システム。【選択図】図１
2021518245.tif 000002
【特許請求の範囲】
【請求項１】
表面または領域で、１つ以上の消毒剤の使用を検出するように構成されたセンサモジュール、
該センサモジュールに接続され、検出された１つ以上の消毒剤の使用に関連するデータを記録するように構成されたデータロガーモジュール、
該データロガーモジュールに接続され、１つ以上の消毒剤の検出された使用に関連するログデータを遠隔監視モジュールに無線で通信するように構成された無線通信モジュール
を含む、消毒監視システム。
【請求項２】
前記１つ以上の消毒剤が、光系消毒剤、ガス消毒剤、蒸気消毒剤、液体消毒剤、およびそれらの組み合わせから選択される、請求項１記載のシステム。
【請求項３】
前記光系消毒剤が紫外線であり、蒸気消毒剤が過酸化水素蒸気であり、液体消毒剤が漂白剤である、請求項２記載のシステム。
【請求項４】
前記センサモジュールが、紫外線センサ、ガスセンサ、蒸気センサ、化学センサ、熱センサ、およびそれらの組み合わせから選択される１つ以上のセンサを備える、請求項２記載のシステム。
【請求項５】
前記センサモジュールが更に位置センサを備える、請求項４記載のシステム。
【請求項６】
前記位置センサが全地球測位システム（ＧＰＳ）センサである、請求項５記載のシステム。
【請求項７】
前記データロガーモジュールが、検出された１つ以上の消毒剤の使用に関連して記録されたデータを保存するように構成されたデータ記憶装置を備える、請求項１記載のシステム。
【請求項８】
前記無線通信モジュールが低電力無線通信モジュールを備える、請求項１記載のシステム。
【請求項９】
前記低電力無線通信モジュールが、Ｂｌｕｅｔｏｏｔｈ低電力モジュールである、請求項８記載のシステム。
【請求項１０】
前記遠隔監視モジュールが、クラウドベースの監視および報告アプリケーションである、請求項１記載のシステム。
【請求項１１】
前記クラウドベースの監視および報告アプリケーションがクラウドダッシュボードである、請求項１０記載のシステム。
【請求項１２】
電源に接続されたマイクロコントローラ、並びに前記センサモジュール、データロガーモジュール、および無線通信モジュールのそれぞれを更に備えている、請求項１記載のシステム。
【請求項１３】
前記マイクロコントローラおよび電源に接続された視覚的インジケータを更に備え、前記マイクロコントローラは、表面または領域の消毒状態を視覚的に表示するように視覚的インジケータを制御するように構成されている、請求項１２記載のシステム。
【請求項１４】
前記視覚的インジケータが発光ダイオード（ＬＥＤ）インジケータである、請求項１３記載のシステム。
【請求項１５】
前記電源が、バッテリ、ソーラーパネル、またはその両方である、請求項１２記載のシステム。
【請求項１６】
病院における表面または領域に紫外線を照射するように構成された紫外線ランプ、
該表面または領域に隣接する紫外線ランプを調節可能に支持するように構成された移動ベース、および
該紫外線ランプに接続され、該紫外線ランプを制御して、該表面または領域に照射される紫外線を変化させるように構成されたコントローラ
を備える、紫外線（ＵＶ）消毒システム。
【請求項１７】
前記コントローラに接続され、前記表面または領域に照射される紫外線を検出するように構成された紫外線センサを更に備え、
前記コントローラが、紫外線ランプを制御し、かつ該紫外線センサによって検出された紫外線に基づいて、前記表面または領域に照射される紫外線を変化させるように更に構成されている、請求項１６記載のシステム。
【請求項１８】
前記紫外線センサが、請求項４記載の消毒監視システムの紫外線センサである、請求項１７記載のシステム。
【請求項１９】
コントローラに接続され、かつ紫外線ランプの位置を検出するように構成された位置センサを更に備え、
該コントローラは、該紫外線ランプを制御し、かつ該位置センサによって検出された該紫外線ランプの位置に基づいて、表面または領域に照射される紫外線を変化させるように更に構成されている、請求項１８記載のシステム。
【請求項２０】
前記コントローラに接続され、かつ前記紫外線ランプと前記表面または領域との間の距離を検出するように構成された距離測定センサを更に備え、
前記コントローラは、前記紫外線ランプを制御し、かつ該距離測定センサによって検出された前記紫外線ランプと前記表面または領域との間の距離に基づいて、前記表面または領域に照射される紫外線を変化させるように更に構成されている、請求項１６記載のシステム。
【請求項２１】
前記コントローラに接続された無線遠隔コントローラを更に含む、請求項１６記載のシステム。
【発明の詳細な説明】
【技術分野】
【０００１】
本発明は、病院、医療施設、高齢者施設、専門事務所、医療センター、研究所、獣医学研究所、保育施設、学校等における消毒を監視および制御するシステムに関する。
【背景技術】
【０００２】
院内感染（ＨＡＩｓ）は毎年多くの患者の命を奪っており、医療費の増加に寄与している。院内感染は、漂白剤や過酸化水素蒸気などの化学的消毒剤を使用して、病院内の表面および領域を消毒することによって減少したり、回避したりすることができる。更に、Ｃスペクトルにおける殺菌性紫外線（ＵＶ）光（ＵＶＣ）が、病院の表面、機器、器具、部屋および領域を消毒するために使用され始めている。
【０００３】
しかしながら、病院内で頻繁に発生する時間的な要求や人的ミスのために、医療従事者または病院の清掃員は、消毒処理を忘れたり、または省略したりしてしまうことがあるか、或いは、最低限の消毒処理を時々行うだけである。
【０００４】
このような状況では、消毒を監視および制御するための改善された解決策が必要とされている。
【発明の概要】
【０００５】
本発明によれば、
表面または領域で、１つ以上の消毒剤の使用を検出するように構成されたセンサモジュール、
該センサモジュールに接続され、検出された１つ以上の消毒剤の使用に関連するデータを記録するように構成されたデータロガーモジュール、
該データロガーモジュールに接続され、１つ以上の消毒剤の検出された使用に関連するログデータを遠隔監視モジュールに無線で通信するように構成された無線通信モジュールを備える、消毒監視システムが提供される。
【０００６】
上記１つ以上の消毒剤は、光系消毒剤、ガス消毒剤、蒸気消毒剤、液体消毒剤、およびそれらの組み合わせから選択されてもよい。
【０００７】
上記光系消毒剤は紫外線であってもよく、蒸気消毒剤は過酸化水素蒸気であってもよく、液体消毒剤は漂白剤であってもよい。
【０００８】
上記センサモジュールは、紫外線センサ、ガスセンサ、蒸気センサ、化学センサ、熱センサ、およびそれらの組み合わせから選択される１つ以上のセンサを備えていてもよい。
【０００９】
上記センサモジュールは、更に、全地球測位システム（ＧＰＳ）センサなどの位置センサを備えていてもよい。
【００１０】
上記データロガーモジュールは、検出された１つ以上の消毒剤の使用に関連して記録されたデータを保存するように構成されたデータ記憶装置を備えていてもよい。
【００１１】
上記無線通信モジュールは、Ｂｌｕｅｔｏｏｔｈ低電力モジュールなどの低電力無線通信モジュールを備えていてもよい。
【００１２】
上記遠隔監視モジュールは、クラウドダッシュボードなどのクラウドベースの監視および報告アプリケーションであってもよい。
【００１３】
上記消毒監視システムは、電源に接続されたマイクロコントローラ、並びに上記センサモジュール、データロガーモジュール、および無線通信モジュールのそれぞれを更に備えていてもよい。
【００１４】
上記消毒監視システムは、上記マイクロコントローラおよび電源に接続された視覚的インジケータを更に備えてもよく、上記マイクロコントローラは、表面または領域の消毒状態を視覚的に表示するように視覚的インジケータを制御するように構成されている。
【００１５】
上記視覚的インジケータは、発光ダイオード（ＬＥＤ）インジケータであってもよい。
【００１６】
上記電源は、バッテリ、ソーラーパネル、またはその両方であってもよい。
【００１７】
本発明はまた、
病院における表面または領域に紫外線を照射するように構成された紫外線ランプ、
上記表面または領域に隣接する紫外線ランプを調整可能に支持するように構成された移動ベース、および
上記紫外線ランプに接続され、上記紫外線ランプを制御して、該表面または領域に照射される紫外線を変化させるように構成されたコントローラ
を備える、紫外線（ＵＶ）消毒システムを提供する。
【００１８】
上記紫外線消毒システムは、上記コントローラに接続され、上記表面または領域に照射される紫外線を検出するように構成された紫外線センサを更に備えていてもよく、上記コントローラが、紫外線ランプを制御し、かつ上記紫外線センサによって検出された紫外線に基づいて、上記表面または領域に照射される紫外線を変化させるように更に構成されている。
【００１９】
上記紫外線消毒システムの紫外線センサは、前述の消毒監視システムの紫外線センサであってもよい。
【００２０】
上記紫外線消毒システムは、上記コントローラに接続され、かつ紫外線ランプの位置を検出するように構成された位置センサを更に備え、上記コントローラは、上記紫外線ランプを制御し、かつ上記位置センサによって検出された上記紫外線ランプの位置に基づいて、上記表面または領域に照射される紫外線を変化させるように更に構成されている。
【００２１】
上記紫外線消毒システムは、上記コントローラに接続され、かつ上記紫外線ランプと上記表面または領域との間の距離を検出するように構成された距離測定センサを更に備え、上記コントローラは、上記紫外線ランプを制御し、かつ上記距離測定センサによって検出された上記紫外線ランプと上記表面または領域との間の距離に基づいて、上記表面または領域に照射される紫外線を変化させるように更に構成されている。
【００２２】
上記紫外線消毒システムは、上記コントローラに接続された無線遠隔コントローラを更に備えていてもよい。
【図面の簡単な説明】
【００２３】
本発明の実施形態を、添付の図面を参照して、以下に例示としてのみ説明する。
【図１】本発明の例示的な実施形態に従った消毒監視システムの例示的な実施形態のブロック図である。
【図２】図１の消毒監視システムの例示的なＬＥＤインジケータの概略図である。
【図３】本発明の例示的な実施形態に従った紫外線消毒システムの例示的な実施形態のブロック図である。
【図４】図３の病院監視用紫外線消毒システムのコンピュータレンダリングである。
【発明を実施するための形態】
【００２４】
図１に示されるように、本発明の例示的な実施形態による例示的な消毒監視システム１０は、一般に、センサモジュール１２、データロガーモジュール１４、および無線通信モジュール１６を備えていてもよい。
【００２５】
上記センサモジュール１２は、病院、医療施設、高齢者施設、専門家事務所、医療センター、研究所、獣医学研究所、保育施設、学校などにおける、表面または領域で、１つ以上の消毒剤の使用を検出するように構成されてもよい。上記センサモジュール１２は、上記表面または領域で、１つ以上の消毒剤の有無を検出するように構成されていてもよい。上記１つ以上の消毒剤は、光系消毒剤、ガス消毒剤、蒸気消毒剤、液体消毒剤、およびそれらの組み合わせから選択されてもよい。従って、上記センサモジュール１２は、紫外線センサ、ガスセンサ、蒸気センサ、化学センサ、熱センサ、およびそれらの組み合わせから選択される１つ以上のセンサを備えていてもよい。
【００２６】
例えば、光系消毒剤はＵＶＣ光であってもよく、蒸気消毒剤は過酸化水素蒸気であってもよく、液体消毒剤は漂白剤であってもよい。１つの例示的実施形態では、センサモジュール１２は、従って、紫外線センサ、過酸化水素蒸気センサ（例えば、近赤外（ＮＩＲ）センサ）、および漂白剤（またはその化学成分）を検出することが可能な化学センサを含んでもよい。
【００２７】
センサモジュール１２は、更に、ＧＰＳセンサなどの位置センサを含んでもよい。これにより、病院内のセンサモジュール１２の位置を監視および追跡することが可能となる。
【００２８】
データロガーモジュール１４は、センサモジュール１２に接続され、１つ以上の消毒剤の検出された使用に関連するデータを記録するように構成されてもよい。データロガーモジュール１４は、１つ以上の消毒剤の検出された使用に関連するログデータを記憶するように構成されたデータ記憶装置を含んでもよい。上記ログデータは、日付、時間、場所、存在する消毒剤の濃度などを含んでもよい。
【００２９】
無線通信モジュール１６は、データロガーモジュール１４に接続され、１つ以上の消毒剤の検出された使用に関連するログデータを遠隔監視モジュール１８に無線で通信するように構成されていてもよい。無線通信モジュールは、Ｂｌｕｅｔｏｏｏｔｈ低電力モジュールなどの低電力無線通信モジュールを含んでもよい。遠隔監視モジュール１８は、クラウドダッシュボードなどのクラウドベースの監視および報告アプリケーションであってもよい。クラウドダッシュボードは、病院内の個々の表面または領域の消毒状態の監視、追跡、分析、警報、およびレポートを提供してもよい。
【００３０】
消毒監視システム１０は、電源（図示せず）と、センサモジュール１２、データロガーモジュール１４、および無線通信モジュール１６のそれぞれとに接続されたマイクロコントローラ（図示せず）を更に含んでいてもよい。電源は、バッテリ（図示せず）、ソーラーパネル（図示せず）、またはその両方であってもよい。
【００３１】
図２を参照すると、視覚的インジケータ２０がマイクロコントローラおよび電源に接続されていてもよく、マイクロコントローラは、表面または領域の消毒状態を視覚的に示すために視覚的インジケータ２０を制御するように構成されていてもよい。視覚的インジケータ２０は、例えば、緑色、黄色、および赤色のＬＥＤ２２、２４、２６を有する交通信号灯ＬＥＤインジケータ２０であってもよい。例えば、緑色のＬＥＤ２２は、消毒が必要でないことを視覚的に表示していてもよく、一方、黄色または赤色のＬＥＤ２４、２６は、消毒が必要であることを視覚的に表示していてもよい。
【００３２】
センサモジュール１２、データロガーモジュール１４、および無線通信モジュール１６、電源、マイクロコントローラ、および交通信号灯ＬＥＤインジケータ２０は、プリント回路基板（図示せず）上に共に提供されてもよく、病院の個々の表面または個々の領域に着脱可能に取り付けられるか、または配置可能であってもよい共通のハウジング（図示せず）内に共に収容されてもよい。複数の消毒監視システム１０は、病院、医療施設、高齢者施設、専門事務所、医療センター、研究所、獣医学研究所、保育施設、学校等において、消毒センサのネットワークとして提供されてもよい。
【００３３】
図３を参照すると、本発明の例示的な実施形態による例示的な紫外線消毒システム３０は、概して、紫外線ランプ３２、移動ベース３４、およびコントローラ３６から構成されている。紫外線ランプ３２は、紫外線、例えばＵＶＣ光を病院内の表面または領域に照射するように構成されていてもよい。紫外線ランプ３２は、複数の紫外線ランプ３２を含んでもよい。移動ベース３４は、表面または領域に隣接する紫外線ランプ３２を調整可能に支持するように構成されていてもよい。例えば、図４に図示されているように、移動ベース３４は、例えば、２つの紫外線ランプ３２を枢動的に調整可能に支持する車輪付きキャビネットであってもよい。コントローラ３６は、紫外線ランプ３２に接続され、表面または領域に照射される紫外線を変化させるように紫外線ランプ３２を制御するように構成されていてもよい。
【００３４】
紫外線消毒システム３０は、コントローラ３６に接続され、表面または領域に照射される紫外線を検出するように構成された紫外線センサ（図示せず）を更に含んでもよい。コントローラ３６は、紫外線ランプ３２を制御し、紫外線センサによって検出された紫外線に基づいて、表面または領域に照射される紫外線を変化させるように更に構成されてもよい。紫外線消毒システムの紫外線センサは、例えば、前述した消毒監視システム１０の紫外線センサであってもよい。
【００３５】
紫外線消毒システム３０は、コントローラ３６に接続され、紫外線ランプ３２または移動ベース３４の位置を検出するように構成された位置センサ（図示せず）を更に含んでもよい。コントローラ３４は、紫外線ランプ３２を制御し、位置センサによって検出された紫外線ランプ３２または移動ベース３４の位置に基づいて、表面または領域に照射される紫外線を変化させるように更に構成されてもよい。
【００３６】
紫外線消毒システム３０は、コントローラ３６に接続され、紫外線ランプ３２と表面または領域との間の距離を検出するように構成された距離測定センサを更に含んでもよい。コントローラ３６は、紫外線ランプ３２を制御し、紫外線ランプ３２と、距離測定センサによって検出された表面または領域との間の距離に基づいて、表面または領域に照射される紫外線を変化させるように更に構成されてもよい。
【００３７】
紫外線消毒システム３０は、紫外線ランプ３２の遠隔操作を可能にするために、コントローラ３６に接続された無線遠隔コントローラを更に構成してもよい。紫外線消毒システム３０の使用状態、位置、および紫外線量は、前述した消毒監視システム１０を使用して監視、追跡、分析、および報告されてもよい。
【００３８】
本発明の実施形態は、病院、医療施設、高齢者施設、専門家事務所、医療センター、研究所、獣医学研究所、保育施設、学校などにおける表面、装置、器具、部屋および領域の消毒を監視するために一般的に有用なシステムおよび特に有用なシステムの両方を提供する。更に他の実施形態では、本発明は、病院、医療施設、高齢者施設、専門家事務所、医療センター、研究所、獣医学研究所、保育施設、学校などにおける表面、機器、器具、部屋および領域の紫外線消毒に一般的に有用なシステムおよび特に有用なシステムの両方を提供する。
【００３９】
本明細書の目的上、「含む（ｃｏｍｐｒｉｓｉｎｇ）」の語は「含む（ｉｎｃｌｕｄｉｎｇ）が、それに限定されない」という意味であり、「含む（ｃｏｍｐｒｉｓｅｓ）」の語にはそれに対応する意味がある。
【符号の説明】
【００４０】
１０、２０ … 視覚的インジケータ
１２ … センサモジュール
１４ … データロガーモジュール
１６ … 無線通信モジュール
１８ … 遠隔監視モジュール
２２ … 緑色のＬＥＤ
２４ … 黄色のＬＥＤ
２６ … 赤色のＬＥＤ
３０ … 紫外線消毒システム
３２ … 紫外線ランプ３２
３４ … 移動ベース
３６ … コントローラ
【図１】
2021518245.tif 000003
【図２】
2021518245.tif 000004
【図３】
2021518245.tif 000005
【図４】
2021518245.tif 000006
【国際調査報告】
2021518245.tif 000007
2021518245.tif 000008
2021518245.tif 000009
2021518245.tif 000010
2021518245.tif 000011
2021518245.tif 000012
2021518245.tif 000013
2021518245.tif 000014